(57)【要約】【課題】  キャッシュレスで、ユーザ自身がチェックインして使用する部屋内で使用料の支払いを終えることができる決済システムを提供する。【解決手段】  ユーザが、ホテル７にチェックインして部屋１２を使用し、使用後にチェックアウトする際の使用料のクレジットカード決済を行う決済システム１は、ユーザが使用する部屋１２内で部屋を特定する識別情報が埋め込まれたQRコード（登録商標）が印刷された紙（QRコード（登録商標）表示部）１３と、ユーザが操作してQRコード（登録商標）を読み取り可能なユーザー端末１４と、ユーザが操作してQRコード（登録商標）を読み取ることによりユーザ端末がアクセスでき、使用料をユーザー端末１４によってユーザに表示できる料金会計用コンピュータ１５と、ユーザが料金会計用コンピュータ１５を介して使用料のクレジットカード決済を行える決済端末５とを備えたものとしている。【選択図】  図１
0003223033.tif 000002
【実用新案登録請求の範囲】
【請求項１】
ユーザが、ホテルにチェックインして部屋を使用し、使用後にチェックアウトする際の使用料のクレジットカード決済を行う決済システムにおいて、
前記ユーザが使用する部屋内で当該部屋を特定する識別情報が埋め込まれたQRコード（登録商標）が印刷された紙と、
前記ユーザが操作して前記QRコード（登録商標）を読み取り可能なユーザ端末と、
前記ユーザが操作して前記QRコード（登録商標）を読み取ることにより前記ユーザ端末がアクセスでき、前記使用料を前記ユーザ端末によって前記ユーザに表示できる会計用コンピュータと、
前記ユーザが前記会計用コンピュータを介して前記使用料のクレジットカード決済を行える決済手段とを備えた、決済システム。
【請求項２】
前記会計用コンピュータは、チェックイン中に限って、前記使用料のユーザへの表示を認め、前記使用料のクレジットカード決済が可能なことを特徴とする、請求項１記載の決済システム。
【請求項３】
前記QRコード（登録商標）には前記ホテルを特定できる識別情報も埋め込まれている、請求項１又は２記載の決済システム。
【考案の詳細な説明】
【技術分野】
【０００１】
本考案は、決済システムに関し、特に、QRコード（登録商標）を用いた決済システムに関する。
【背景技術】
【０００２】
ホテルなどの宿泊施設でのチックアウトは、今まではフロントに鍵を返す際に行うことが多かった。その場合の宿泊費等の使用料の支払いは、現金、クレジットカードなどが用いられる。
【０００３】
最近は、このチェックアウトをフロント近くに置いてある精算機で行われることも増えてきた（特許文献１）。
【０００４】
ところで、最近は、キャッシュレスの大きな動きが発生しており、宿泊施設でも、それに対応していく必要がある状況にある。
【先行技術文献】
【特許文献】
【０００５】
【特許文献１】特開２００１−１３４８１３
【考案の概要】
【考案が解決しようとする課題】
【０００６】
従来のようなチェックアウトは、フロントで行う、或いは、フロント近くの精算機で行うとすると、朝の同じような時間にチェックアウトのタイミングが重なり、チェックアウトするのに、並ぶなどの待ち時間が発生してしまっているという問題がある。また、フロントの人や精算機付近に他の方がいるなどの場合には、清算する際に他人のことを気にしながら清算する場合もあり、自分だけのプライベート的なスペースで清算を行えることに対してニーズもあったが、現状の対応では不十分であった。しかも、ユーザは、現金払いをするとなると現金の持ち合わせが必要であり、キャッシュレスが進む大きな世の中の流れに沿ったものの必要性が高まってきた。
【０００７】
ゆえに、本考案は、キャッシュレスで、ユーザ自身がチェックインして使用する部屋内で使用料の支払いを終えることができる決済システムを提供することを課題とする。
【課題を解決するための手段】
【０００８】
本考案の第１の観点は、ユーザが、ホテルにチェックインして部屋を使用し、使用後にチェックアウトする際の使用料のクレジットカード決済を行う決済システムにおいて、前記ユーザが使用する部屋内で当該部屋を特定する識別情報が埋め込まれたQRコード（登録商標）が印刷された紙と、前記ユーザが操作して前記QRコード（登録商標）を読み取り可能なユーザ端末と、前記ユーザが操作して前記QRコード（登録商標）を読み取ることにより前記ユーザ端末がアクセスでき、前記使用料を前記ユーザ端末によって前記ユーザに表示できる会計用コンピュータと、前記ユーザが前記会計用コンピュータを介して前記使用料のクレジットカード決済を行える決済手段とを備えた、ものである。
【０００９】
この観点によれば、ユーザは使用していた部屋内で、その部屋を特定する識別情報が埋め込まれたQRコード（登録商標）をスマホなどのユーザ端末で読み取り、会計コンピュータから使用料金を知らせてもらい、クレジットカード決済のような決済手段によりキャッシュレス決済による支払いを行ってチェックアウトできる。
【００１０】
本考案の第２の観点は、第１の観点において、前記会計用コンピュータは、チェックイン中に限って、前記使用料のユーザへの表示を認め、前記使用料のクレジットカード決済が可能なことを特徴とするものである。
【００１１】
この観点によれば、フロントやフロント付近での支払いと異なり、部屋のチェックアウトであっても、チェックイン中に限っての決済となり、例えば、チェックアウト後の清掃などの方が誤って操作等してしまい、或いは、チェックアウト後に第３者がいたずら等で清算しようとしても決済はできず、決済手段側としてもリクエストがあった決済のリクエストに対して信用しながら行える。
【００１２】
本考案の第３の観点は、第１又は第２の観点において、前記QRコード（登録商標）には前記ホテルを特定できる識別情報も埋め込まれているものである。
【００１３】
この観点によれば、部屋の特定がより明確になり、決済の間違いなどの発生をより抑えることができる。
【考案の効果】
【００１４】
本考案によれば、キャッシュレスで、ユーザ自身がチェックインして使用する部屋内で使用料の支払いを終え、スムーズで他人の目を気にしなくて済むチェックアウトが可能になる。
【図面の簡単な説明】
【００１５】
【図１】本考案の実施の形態にかかる決済システムの全体ブロック図である。
【図２】図１の決済システムの動作を説明する全体フロー図である。
【図３】図２のフロー図を具体的に説明するための第１の図である。
【図４】図３に続く第２の図である。
【図５】図４に続く第３の図である。
【考案を実施するための形態】
【００１６】
以下、図面を参照して、本願考案の実施例について述べる。なお、本願考案の実施の形態は、以下の実施例に限定されるものではない。
【００１７】
図１は本考案の実施の形態にかかる決済システムの全体ブロック図である。図２は図１の決済システムの動作を説明する全体フロー図である。図３は図２のフロー図を具体的に説明するための第１の図である。図４は図３に続く第２の図である。図５は図４に続く第３の図である。
【００１８】
決済システム１は、クレジット会社３の決済端末５と、ホテル７の料金会計・システム管理部９と、ホテル７のQRコード（登録商標）生成部１１と、ホテル７の部屋１２内のQRコード（登録商標）表示部１３と、ホテル７の部屋１２内のユーザが使用するユーザー端末１４とを備える。料金会計・システム管理部９は、料金会計用コンピュータ１５と、プリンタ１７と、システム制御端末１９とを有している。QRコード（登録商標）生成部１１は、QRコード（登録商標）を生成するVODサーバが例えば挙げられる。QRコード（登録商標）表示部１３は、例えば、客室備付テレビ、客室備付タブレット端末、又は、客室備付POP表示の紙が挙げられる。ユーザー端末１４は、ユーザが有していて使用している携帯端末が想定され、例えばスマートフォンが挙げられる。ユーザー端末１４は、通信ネットワーク２１を介して、料金会計・システム管理部９と、クレジット会社３の決済端末５に繋がっている。通信ネットワーク２１には、クラウドサーバが設けられており、このクラウドサーバを経由して情報のやり取りが行われる。決済用システム２３が、ユーザー端末１４、QRコード（登録商標）表示部１３、QRコード（登録商標）生成部１１、料金会計用コンピュータ１５を含んで構成されている。
【００１９】
図２を参照して、ステップＳ１において来客があり、ステップＳ２においてチェックインが行われる。部屋が使用され、ユーザがチェックアウトしようとすると、ステップＳ３において、その部屋内でのチェックアウトの会計が開始される。この処理は、客室テレビの清算開始画面をリモコンで起動することで行われ（図３（ａ）参照）、又は、客室タブレットの精算開始画面がタッチされて起動することで行われる。ステップＳ４において、決済用QRコード（登録商標）の表示が行われる。ここで、このQRコード（登録商標）には、ホテルを識別する情報と、部屋を識別する情報が埋め込まれている。この処理は、QRコード（登録商標）生成部１１が生成したQRコード（登録商標）が表示されるか（図３（ｂ１）参照）、又は、備付QRコード（登録商標）POP表示の紙（図３（ｂ２）参照）によって行われる。ここで、チェックアウトの会計が開始されたとしても、客室入室時でなければ、QRコード（登録商標）生成部１１はQRコード（登録商標）表示部１３に決済用QRコード（登録商標）の表示を行わないように表示制限をかけている。これにより、後述の清掃等で客室テレビの清算開始画面をリモコンで起動したとしても、決済用QRコード（登録商標）は行われないものとなっている。すなわち、QRコード（登録商標）の表示とチェックイン又はチックインの状態とが紐づけられている。ステップＳ５においては、ユーザー端末１４によりQRコード（登録商標）の読み込みが行われる（図４（ｃ）参照）。ステップＳ６においては、ユーザー端末１４が料金会計・システム管理部９の料金会計用コンピュータ１５に利用料金の問い合わせを行い（図４（ｄ）参照）、その回答である部屋の使用料金がユーザー端末１４の画面に表示される。
【００２０】
ステップＳ７において、クレジット精算が開始される（図４（ｅ）参照）。ユーザー端末１４とクレジット会社３の決済端末５との間で、クレジット精算要求、クレジット精算画面表示が行われる。ステップＳ８においては、クレジットカードデータの入力が行われる（図５（ｆ）参照）。この入力は、ユーザー端末１４からクレジットデータ入力と送信が行われることにより行われ、クレジット会社３の決済端末５からはクレジット決済結果送信がユーザー端末１４に送られて、図５（ｇ）のクレジットカード申込画面を経て、ステップＳ９においてクレジット決済の完了処理となる（図５（ｈ）参照）。ここで、クレジット決済結果は料金会計・システム管理部９の料金会計用コンピュータ１５に送られ、ステップＳ１０の会計完了となり、ステップＳ１１のチェックアウトが完了することになる。システム制御端末１９にはチェックアウト完了信号が送信される。これ以降は、システム制御端末１９は、チェックアウト後に行えるシステムの制御を行えることになる。具体的には、ステップＳ１２において、システム制御端末１９から客室状況の情報が料金会計・システム管理部９、具体的には料金会計用コンピュータ１５（一体型であればシステム制御端末１９にも）に送信され、リネン準備と完了が行われる。部屋は清掃等を終えた空室になり、ステップＳ１に戻って来客を受け入れることが可能になる。
【符号の説明】
【００２１】
１・・・決済システム、５・・・決済端末、７・・・ホテル、１１・・・QRコード（登録商標）生成部、１２・・・部屋、１３・・・QRコード（登録商標）表示部、１４・・・ユーザー端末、１５・・・料金会計用コンピュータ、１９・・・システム制御端末
【図１】
0003223033.tif 000003
【図２】
0003223033.tif 000004
【図３】
0003223033.tif 000005
【図４】
0003223033.tif 000006
【図５】
0003223033.tif 000007